(57)【特許請求の範囲】
【請求項１】
円周面を有する回転操作部材と、
前記回転操作部材の前記円周面に固定されたシート部材と、
前記シート部材と対向する位置に設けられ、前記シート部材に向けて光を当てて、前記シート部材からの反射光を検知する検知手段とを備え、
前記シート部材には、第１の反射率を有する第１の領域と、前記第１の反射率より低い第２の反射率を有する第２の領域と、凸形状部とが形成されており、
前記回転操作部材には、前記凸形状部が係合可能な凹形状部が形成されており、
前記シート部材は、前記凸形状部が前記凹形状部に係合し、かつ前記第１の領域と前記第２の領域とが前記円周面の周方向に交互に並ぶように、前記円周面に固定され、
前記シート部材は、周方向に、第１の端部と、前記第１の端部と反対側の端部である第２の端部とを有し、
前記凸形状部は、前記第１の端部の近傍に形成され、
前記第１の端部と前記第２の端部とは、前記第２の領域で構成され、
前記シート部材が前記回転操作部材の前記円周面に固定された状態で、前記第１の端部と前記第２の端部との間には、前記第１の領域と同一幅の隙間があり、
前記第１の端部と前記第２の端部との間の隙間には、前記回転操作部材の前記円周面が露出し、
前記露出した前記円周面は、前記検知手段により反射光が検知可能なレベルに光を反射するように表面処理されている
ことを特徴とする電子機器。
【請求項２】
円周面を有する回転操作部材と、
前記回転操作部材の前記円周面に固定されたシート部材と、
前記シート部材と対向する位置に設けられ、前記シート部材に向けて光を当てて、前記シート部材からの反射光を検知する検知手段とを備え、
前記シート部材には、第１の反射率を有する第１の領域と、前記第１の反射率より低い第２の反射率を有する第２の領域と、凸形状部とが形成されており、
前記回転操作部材には、前記凸形状部が係合可能な凹形状部が形成されており、
前記シート部材は、前記凸形状部が前記凹形状部に係合し、かつ前記第１の領域と前記第２の領域とが前記円周面の周方向に交互に並ぶように、前記円周面に固定され、
前記シート部材は、周方向に、第１の端部と、前記第１の端部と反対側の端部である第２の端部とを有し、
前記凸形状部は、前記第１の端部の近傍に形成され、
前記第１の端部は、前記第１の領域で構成され、
前記第２の端部は、前記第２の領域で構成され、
前記シート部材が前記回転操作部材の前記円周面に固定された状態で、前記第２の端部は、前記第１の端部に前記第１の領域が残るように前記第１の端部と重複して固定されている
ことを特徴とする電子機器。
【請求項３】
円周面を有する回転操作部材と、
前記回転操作部材の前記円周面に固定されたシート部材と、
前記シート部材と対向する位置に設けられ、前記シート部材に向けて光を当てて、前記シート部材からの反射光を検知する検知手段とを備え、
前記シート部材には、第１の反射率を有する第１の領域と、前記第１の反射率より低い第２の反射率を有する第２の領域と、凸形状部とが形成されており、
前記回転操作部材には、前記凸形状部が係合可能な凹形状部が形成されており、
前記シート部材は、前記凸形状部が前記凹形状部に係合し、かつ前記第１の領域と前記第２の領域とが前記円周面の周方向に交互に並ぶように、前記円周面に固定され、
前記回転操作部材が回転操作されたときにクリック感を発生させるクリック感発生部が、前記回転操作部材に環状板部材を固定することで形成されており、
前記シート部材は、周方向に、第１の端部と、前記第１の端部と反対側の端部である第２の端部とを有し、
前記回転操作部材に対して前記環状板部材を位置規制する位置規制部と、前記シート部材の前記第２の端部とが、近傍に位置しており、
前記第１の端部と前記第２の端部とは、前記第２の領域で構成され、
前記シート部材が前記回転操作部材の前記円周面に固定された状態で、前記第１の端部と前記第２の端部との間には、前記第１の領域と同一幅の隙間があり、
前記第１の端部と前記第２の端部との間の隙間には、前記回転操作部材の前記円周面が露出し、
前記露出した前記円周面は、前記検知手段により反射光が検知可能なレベルに光を反射するように表面処理されている
ことを特徴とする電子機器。
【請求項４】
円周面を有する回転操作部材と、
前記回転操作部材の前記円周面に固定されたシート部材と、
前記シート部材と対向する位置に設けられ、前記シート部材に向けて光を当てて、前記シート部材からの反射光を検知する検知手段とを備え、
前記シート部材には、第１の反射率を有する第１の領域と、前記第１の反射率より低い第２の反射率を有する第２の領域と、凸形状部とが形成されており、
前記回転操作部材には、前記凸形状部が係合可能な凹形状部が形成されており、
前記シート部材は、前記凸形状部が前記凹形状部に係合し、かつ前記第１の領域と前記第２の領域とが前記円周面の周方向に交互に並ぶように、前記円周面に固定され、
前記回転操作部材が回転操作されたときにクリック感を発生させるクリック感発生部が、前記回転操作部材に環状板部材を固定することで形成されており、
前記シート部材は、周方向に、第１の端部と、前記第１の端部と反対側の端部である第２の端部とを有し、
前記回転操作部材に対して前記環状板部材を位置規制する位置規制部と、前記シート部材の前記第２の端部とが、近傍に位置しており、
前記第１の端部は、前記第１の領域で構成され、
前記第２の端部は、前記第２の領域で構成され、
前記シート部材が前記回転操作部材の前記円周面に固定された状態で、前記第２の端部は、前記第１の端部に前記第１の領域が残るように前記第１の端部と重複して固定されている
ことを特徴とする電子機器。
【請求項５】
前記回転操作部材には、前記回転操作部材が回転操作されたときにクリック感を発生させるクリック感発生部が形成されている
ことを特徴とする請求項１または請求項２に記載の電子機器。
【請求項６】
前記クリック感発生部には、周方向に複数の切り欠き部が形成されているとともに、球形状部材が当接し、
前記回転操作部材が回転操作されたとき、前記球形状部材と前記切り欠き部とが係合する状態と係合しない状態とが繰り返すことによって、前記クリック感が発生する
ことを特徴とする請求項３乃至５のいずれか１項に記載の電子機器。
【請求項７】
第１および第２の前記検知手段を備え、
前記第１および第２の検知手段と前記シート部材とは、前記球形状部材と前記切り欠き部とが係合する状態になる毎に、前記第２の検知手段が前記第１の領域に位置し、前記第１の検知手段が前記第１の領域と前記第２の領域の境界に位置するように配置される
ことを特徴とする請求項６に記載の電子機器。
【請求項８】
前記凸形状部の周方向の端部と、前記凹形状部の周方向の端部とが係合するように、前記シート部材が前記円周面に固定されている
ことを特徴とする請求項１乃至７のいずれか１項に記載の電子機器。
【請求項９】
請求項１乃至８のいずれか１項に記載の電子機器として機能する撮像装置。
【発明の詳細な説明】
【技術分野】
【０００１】
本発明は、電子機器および撮像装置に関する。
【背景技術】
【０００２】
押しボタン式やスライド式、回転式など、各種操作部材が搭載されている撮像装置等の電子機器が提案されている。この電子機器では、操作部材の操作を検知する手段として、各種センサが用いられる。特許文献１は、発光部から放出された光を対象物に当てて反射した光を受光部で受信できるか否かにより、対象物の有無を検知する光学式のセンサフォトリフレクタを用いて、回転操作部材の回転操作を検知する光学式エンコーダを開示している。
【先行技術文献】
【特許文献】
【０００３】
【特許文献１】特開２００７−６４６６５号公報
【発明の概要】
【発明が解決しようとする課題】
【０００４】
光学式エンコーダでは、回転操作部材の回転操作を行うことでフォトリフレクタへのオン・オフ切り替え入力が実行されるように、回転操作部材に反射率の異なる面が交互に形成された反射面が設けられる。回転操作部材の回転操作とは、フォトリフレクタへのオン・オフ切り替え入力が実行され、回転操作部材の回転検知及び回転量が検知できるようになり、各種パラメータの変更を行う操作である。
【０００５】
また、回転操作部材には、回転の度にクリックのある位置とクリックのない位置を交互に作り出し、回転操作部材の回転操作時に、クリックを発生させ、所望の値に設定しやすくしたものがある。クリックを発生する機構を有した回転操作部材においては、フォトリフレクタへのオン・オフ切り替え入力が実行された反射面の位置とクリック位置との位置関係が、回転操作部材をどの位置に回転しても、常に一定の位置関係を保つことが必要になる。例えば、回転操作部材の回転を、あるクリック位置で止めた場合、回転操作部材の反射率の異なる面が、常に反射する面、もしくは常に反射しない面のどちらか一方の面であることが必要となる。つまり、あるクリック位置で、フォトリクレクタが出力を検出する面が、反射面か、もしくは反射しない面かで、検出の出力が変化する。
【０００６】
クリック位置と回転検知のタイミングや位置関係が常に一定であれば、回転操作時にどのクリック位置でも、フォトリフレクタへのオン・オフ切り替え、つまり回転操作部材が回転したかを検知することが可能になる。反射面は、回転操作部材に直接形成されるよりも、回転操作部材に反射面が形成されたシート部材を貼付するほうが、コストダウンになる。
【０００７】
特許文献１が開示する光学式エンコーダでは、反射率の異なる面が交互に形成された反射面が形成されたシート部材が回転操作部材の内側面に貼付されている。しかし、クリック機構を有する回転操作部材を適用すると、回転操作部材の内側面に、反射面が形成されたシート部材の位置を規制する必要がある。位置規制がないまま、反射面が形成されたシート部材を貼り付け固定すると、回転操作部材の回転操作の際に、クリック位置と、回転操作部材の回転操作による回転検知のタイミングが一定の関係にならない。つまり、クリック位置でフォトリクレクタが検出する面が、反射する面か、もしくは反射しない面かで、検出の出力が変化してくる。したがって、回転操作時に、クリック位置のタイミングで入力が切り替わらず、良好な操作性を実現できない。
【０００８】
本発明は、コストアップすることなく、回転操作部材の良好な操作性を実現するように、反射面が形成されたシート部材の位置規制をすることができる電子機器の提供を目的とする。
【課題を解決するための手段】
【０００９】
本発明の一実施形態の電子機器は、円周面を有する回転操作部材と、前記回転操作部材の前記円周面に固定されたシート部材と、前記シート部材と対向する位置に設けられ、前記シート部材に向けて光を当てて、前記シート部材からの反射光を検知する検知手段とを備え、前記シート部材には、第１の反射率を有する第１の反射領域と、前記第１の反射率より低い第２の反射率を有する第２の反射領域と、凸形状部とが形成されており、前記回転操作部材には、前記凸形状部が係合可能な凹形状部が形成されており、前記シート部材は、前記凸形状部が前記凹形状部に係合し、かつ前記第１の反射領域と前記第２の反射領域とが前記円周面の周方向に交互に並ぶように、前記円周面に固定されている。
【発明の効果】
【００１０】
本発明によれば、コストアップすることなく、回転操作部材の良好な操作性を実現するように、反射面が形成されたシート部材の位置規制をすることができる。
【図面の簡単な説明】
【００１１】
【図１】本実施形態の電子機器の外観斜視図である。
【図２】電子機器の分解斜視図の一例である。
【図３】フロントカバーユニットの分解斜視図である。
【図４】回転操作部材ユニット、フロントカバーユニットの背面図である。
【図５】図４（Ｂ）のＤ−Ｄ断面の下側詳細図である。
【図６】クリック機構の構造を示す図である。
【図７】回転操作部材ユニットの分解斜視図である。
【図８】フレキシブル配線基板の内部側を説明する図である。
【図９】フォトリフレクタから出力される信号波形を示す図である。
【図１０】図７のＦ部詳細図である。
【図１１】図７のＦ部詳細図である。
【図１２】図７のＦ部詳細図である。
【図１３】回転操作部材の内側面へのシートの貼付固定を説明する図である。
【発明を実施するための形態】
【００１２】
（実施例１）
図１は、本実施形態の電子機器の外観斜視図である。
図１に示す電子機器は、撮像装置であり、この例ではデジタルカメラである。図１中の１０１は、デジタルカメラの電源のＯＮ，ＯＦＦ機能を持つ電源ボタンである。１０２は、撮影準備、及び撮影開始を指示するためのレリーズボタンである。１０３は、ズームレバーである。ズームレバー１０３は、光学式変倍機能或いはデジタル式変倍機能において、その倍率を調節操作するために用いられる。
【００１３】
ズームレバー１０３は、レリーズボタン１０２の中心に対し所定の角度まで回動可能である。１０４は、撮影した画像を再生表示するための再生ボタンである。１０５は、様々な撮影モードを切り替えることが可能なモードダイヤルである。１０７は、ＡＦ補助光ＬＥＤを保護する窓である。１０９，１１０は、ストラップ紐を挿通させるストラップ取り付け部である。２００は、閃光発光装置である。また、５００は、沈胴式鏡筒レンズである。
【００１４】
閃光発光装置２００は、解除レバー１０６を左右方向に移動させると、閃光部がポップアップし、閃光可能状態になる。図１に示す状態では、閃光発光装置２００は収納されている。沈胴式鏡筒レンズ５００の外周側には、各種パラメータの設定値を変更する際に操作する回転式の操作部材（回転操作部材）を有する回転操作部材ユニット３５０が設けられている。
【００１５】
図２は、電子機器の分解斜視図の一例である。
１００は、トップカバーユニットである。２００は、閃光発光装置である。３００は、回転操作部材ユニット３５０を備えているフロントカバーユニットである。４１０は、三脚を取り付ける三脚ねじ部である。沈胴式鏡レンズ５００は、金属シャーシ４００に保持されている。２２０は、左側面カバーである。２１０は、右側面カバーである。４２０は、不図示の背面操作釦を具備しているリアカバーユニットである。９００は、液晶表示部ユニットである。
【００１６】
図３は、フロントカバーユニットの分解斜視図である。
３０１はフロントカバーであり、一般的にアルミニウムの板材で形成される。回転操作部材ユニット３５０は、正面側の外観部品である固定部材３０５と内部構造部品である３０２とで、回転可能に狭持され保持されている。回転操作部材ユニット３５０は、回転操作可能であり、固定部材３０５との間には、回転の摺動性を良くし、回転操作部材の回転軸方向のガタつきを抑制するために摺動シート３０４が配置されている。また、フレキシブル配線基板３４０には、後述するフォトリフレクタ３４１、３４２が実装される。保持部材３０６は、基板３４０を保持し、内部構造部品３０２に固定する。鋼球３０７は、後述するクリック機構の一部である。
【００１７】
図４は、回転操作部材ユニット、フロントカバーユニットの背面図である。
図４（Ａ）は、回転操作部材ユニット３５０の背面図を示す。図４（Ｂ）は、フロントカバーユニット３００の背面図を示す。図４（Ａ）中には、鋼球３０７、フォトリフレクタ３４１、３４２の位置関係が示される。回転操作部材ユニット３５０は、回転操作部材３１０と環状板部材３２０とを備える。環状板部材３２０は、回転操作部材３１０が回転操作されたときにクリック感を発生させるクリック感発生部として機能する。また、本実施例では、図４（Ａ）中のＤ部にフォトリフレクタ３４１、３４２が配置され、Ｅ部に鋼球３０７が配置されている。
【００１８】
図５は、図４（Ｂ）のＤ−Ｄ断面の下側詳細図である。
回転操作部材３１０は、固定部材３０５と内部構造部品３０２に回転可能に狭持されている。また、回転操作部材３１０は、アルミ材を切削加工することで形成され、外周は凹凸状に、その表面はブラスト処理によって粗い表面に仕上げられる。この加工により指が滑り難くなり、操作性を高めている。固定部材３０５と内部構造部品３０２は、図３に図示されているねじ３７０ａ、３７０ｂ、３７０ｃの３本で固定されている。
【００１９】
図６は、図４（Ｂ）のＥ−Ｅ断面を示す図である。図６は、クリック機構の構造を示す。図７は、回転操作部材ユニットの分解斜視図である。
回転操作部材３１０の円周面３１４には、回転操作部材３１０の回転を検知するための、フォトリクレクタの反射光が検知可能なレベルに反射する領域と反射しない領域とを交互に形成したシート３３０が貼付されて固定されている。また、クリック機構の一部である環状板部材３２０が、両面テープ３６０を介して回転操作部材３１０に位置規制固定されている。環状板部材３２０には、複数の切り欠き部３２２と凸部３２１が交互に形成されている。
【００２０】
図６に示すクリック機構は、回転操作部材３１０に固定された環状板部材３２０、環状板部材３２０に当接する鋼球３０７、鋼球３０７を環状板部材３２０に向けて当接させ付勢する付勢ばね３０９、付勢ばね３０９の脱落を防止する板部材３０８を備える。回転操作部材３１０を回転させると、球形状部材である鋼球３０７が、付勢ばね３０９の付勢力で環状板部材３２０の切り欠き部３２２に係合し、環状板部材３２０の切り欠き部３２２から脱出して係合しなくなり、環状板部材３２０の凸部３２１上を通過する。鋼球３０７は、この動作を、回転操作部材３１０を回転させるときに交互に繰り返すことになる。すなわち、回転操作部材３１０の回転操作によって、切り欠き部３２２と鋼球３０７とが係合する状態と、係合しない状態とが繰り返すことによって、クリック感が発生する。鋼球３０７が環状板部材３２０の切り欠き部３２２に係合したとき、回転操作部材３１０は、回転を停止した状態になる。この状態の時の回転操作部材３１０の位置すなわち回転操作部材ユニット３５０の位置を、本実施例ではクリック位置と記述する。クリック位置の数は、環状板部材３２０の切り欠き部３２２の数だけ存在する。
【００２１】
図８は、フレキシブル配線基板の内部側を説明する図である。
図８（Ａ）は、図４（Ａ）の回転操作部材ユニットとフォトリフレクタが実装されるフレキシブル配線基板を内部側から示す。図８（Ｂ）は、図８（Ａ）の部分断面を示す。
図８（Ａ）に示すように、フォトリフレクタ３４１、３４２が実装されているフレキシブル配線基板３４０は、回転操作部材３１０の内周側に配置され、フォトリフレクタ３４１、３４２自体は、外周を向いて配置されている。回転操作部材３１０の内周面には、フォトリクレクタの反射光が検知可能なレベルに反射する領域と反射しない領域とが交互に形成されたシート（シート部材）３３０が、円周に沿って貼付されている。
【００２２】
図８（Ｂ）に示すように、シート３３０には、周方向にほぼ等間隔で等しい幅Ａの反射する領域３３０ａと、ほぼ等間隔でほぼ等しい幅Ｂの反射しない領域３３０ｂが形成されている。幅Ａと幅Ｂは略等しい長さに設定されている。本実施例では、シート３３０は、反射する領域については白色領域３３０ａとし、反射しない領域は黒色領域３３０ｂで示す。また、本実施例では、白色領域３３０ａは、シート３３０の材料色で構成する。また、シート３３０の白色領域３３０ａに印刷を施すことによって、黒色領域３３０ｂを構成する。白色領域３３０ａは、第１の反射率を有する第１の領域の一例である。黒色領域３３０ｂは、第１の反射率より反射率の低い第２の反射率を有する第２の領域の一例である。
【００２３】
回転操作部材ユニット３５０の回転をフォトリフレクタ３４１、３４２にて検知させるためには、フォトリフレクタ３４１、３４２と対向した回転操作部材３１０の内周面には反射する領域と反射しない領域とを交互に設けることが必要である。反射する白色領域３３０ａは、フォトリフレクタ３４１、３４２の発光部から放出された光を、フォトリフレクタ３４１、３４２の受光部で検知可能なレベルに反射させることが可能である。また、反射しない黒色領域３３０ｂはフォトリフレクタ３４１、３４２の発光部から放出された光を、フォトリフレクタ３４１、３４２の受光部で検知可能なレベルには反射させることができない。したがって、回転操作部材３１０の回転に伴い、フォトリフレクタ３４１、３４２の受光部で受光状態、非受光状態を交互に起こすことが可能となり、不図示の信号処理回路へ波形信号を送ることが可能となる。
【００２４】
次に、回転操作部材ユニット３５０を回転操作した際の回転の検出方法について説明する。図８（Ｂ）に示すように、２つのフォトリフレクタの配置ピッチは、一方のフォトリフレクタ３４２が白色領域３３０ａのほぼ中心にある場合に、もう一方のフォトリフレクタ３４１は白色領域３３０ａと黒色領域３３０ｂのほぼ境界になるように配置されている。この配置により、２つのフォトリフレクタ３４１、３４２から出力される信号波形の位相差を最大化することが可能となる。回転方向の検出には、信号波形の位相差が必要である。位相差が存在することで、回転操作部材ユニット３５０の回転方向によって、一方のフォトリフレクタ３４２が受光した際に、もう一方のフォトリフレクタ３４１が受光しているか否かの差異が生じる。この差異によって、回転操作部材ユニット３５０がどちらに回転しているか不図示の信号処理回路によって判別を行うことが可能になる。
【００２５】
図９は、回転操作部材ユニットを回転操作した際の２つのフォトリフレクタから出力される信号波形を示す図である。
図９に示す波形は、回転操作部材ユニット３５０を時計周りに回転操作した際の波形である。波形のＨを示す範囲が、フォトリフレクタ３４１、３４２の受光状態を示す。波形のＬで示す範囲が、非受光状態を示す。図９に示すように、２つのフォトリフレクタ３４１、３４２から出力される波形は、ほぼ半位相分の位相差が生じている。
【００２６】
本実施例では、回転操作部材ユニット３５０を回転操作し、第１の検知手段であるフォトリフレクタ３４１が受光した際に、第２の検知手段であるフォトリフレクタ３４２が受光していなければ時計回りの回転、受光していれば反時計周りの回転となる。２つのフォトリフレクタ３４１、３４２の信号波形の位相差が無い場合には、回転操作部材ユニット３５０をいずれの方向に回転しても２つのフォトリフレクタ３４１、３４２の信号波形が同じであるので、回転方向が検知できない。また、２つのフォトリフレクタ３４１、３４２の信号波形の位相差が少ない場合には、位相差の有無にばらつきが生じ、回転方向の誤検知の原因となる。
【００２７】
また、回転操作部材ユニット３５０の回転量は、回転方向によらず、フォトリフレクタ３４１がＬからＨになった際に１ピッチ分回転したことを不図示の信号処理回路によって判別する。前述のとおり回転操作部材ユニット３５０の内周には反射する白色領域３３０ａと反射しない黒色領域３３０ｂは交互に、同ピッチの幅で全周にわたって設けられている。つまり、回転操作部材ユニット３５０は、１ピッチ回転させるごとに回転を検出することが可能である。
【００２８】
本実施例では、クリック位置でのフォトリフレクタ３４１、３４２とシート３３０の配置関係は、図９に図示する位置関係としている。つまり、回転操作部材ユニット３５０がクリック位置にあり、回転を停止しているとき、フォトリフレクタ３４１、３４２とシート３３０の配置関係は、フォトリフレクタ３４１、３４２の出力波形が、ともにＨを示す範囲としている。クリック位置の数は環状板部材３２０の切り欠き部３２２の数だけ存在するので、回転操作部材ユニット３５０がクリック位置になる毎に、フォトリフレクタ３４１、３４２とシート３３０の配置関係が、図８（Ｂ）に示す関係となるように設定される。つまり、フォトリフレクタとシート３３０とは、クリック位置になる毎に、フォトリフレクタ３４２が白色領域３３０ａに位置し、フォトリフレクタ３４１が白色領域３３０ａと黒色領域３３０ｂの境界に位置するように配置される。
【００２９】
図１０は、図７のＦ部詳細図である。
図１０を参照して、回転操作部材３１０の円周面３１４へのシート３３０の貼付固定について説明する。シート３３０には、回転操作部材３１０の回転軸方向に凸形状部３３１が形成されている。また、回転操作部材３１０には、円周面３１４から回転軸方向へ凹形状部３１１が形成されている。凹形状部３１１は、凸形状部３３１と係合可能に形成されている。凸形状部３３１の周方向の端面３３２と、回転操作部材３１０に形成された凹形状部３１１の周方向の側面３１２とを係合させながら、シート３３０を回転操作部材３１０の円周面３１４に貼付固定する。すなわち、シート３３０は、凸形状部３３１が凹形状部３１１に係合し、かつ白色領域３３０ａと黒色領域３３０ｂとが円周面３１４の周方向に交互に並ぶように、回転操作部材３１０に固定されている。
【００３０】
凸形状部３３１の周方向の端面３３２と、凹形状部３１１の周方向の側面３１２とが常に当接しているので、シート３３０は、回転操作部材３１０に位置規制されている。シート３３０は、周方向に、第１の端部３３３と、第１の端部と反対側の端部である第２の端部３３４とを有する。そして、シート３３０の凸形状部３３１は、第１の端部３３３の近傍に形成されている。
【００３１】
シート３３０を回転操作部材３１０に貼付固定する際に、初めにシート３３０を固定する箇所を凸形状部３３１とすることで、シート３３０の貼り方向を一方向へ限定できる。シート３３０の凸形状部３３１の端部３３２と、回転操作部材３１０の凹形状部３１１の端部３１２とが互いに当接する方向へ回転させながらシート３３０を貼付固定する。これにより、シート３３０の端部３３４まで常に同じ方向に向かって、貼付けすることが可能になるため、組立性が向上する。
【００３２】
図１１は、図７のＦ部詳細図である。
図１１を参照して、クリック機構の一部である環状板部材３２０と回転操作部材３１０の周方向の位置規制について説明する。図１１中、回転操作部材３１０には、周方向に切欠き部３１５が形成されている。また、環状板部材３２０には、切欠き部３１５の幅と同一幅分の、回転軸方向に向かった曲げ形状部３２３が形成されている。環状板部材３２０を回転操作部材３１０に固定する際に、曲げ形状部３２３と切欠き部３１５とが嵌合して、位置規制部を構成し、環状板部材３２０と回転操作部材３１０を位置規制する。
【００３３】
以上により、シート３３０と環状板部材３２０は、回転操作部材３１０を介して、常に同じ位置関係となる。シート３３０と環状板部材３２０の位置関係が常に同じ関係であるので、回転操作部材ユニット３５０のクリック位置では、フォトリフレクタ３４１、３４２とシート３３０の配置関係は、図８（Ｂ）に図示する配置関係となる。
【００３４】
図１２は、図７のＦ部詳細図である。
図１２には、シート３３０の端部付近が示される。シート３３０の第１の端部３３３と第２の端部３３４は、共に反射しない黒色領域で構成され、幅Ｃ分だけ隙間を空けた状態にされる。さらに、反射する白色領域の幅Ａと幅Ｃは、同一幅で構成される。シート３３０を回転操作部材３１０の内側面全周を貼付け固定すると、シート３３０の貼付けの組立によっては、シートの端部同士が重なり合う場合がある。この場合、回転操作部材３１０の回転検知ができなくなることがある。したがって、本実施例では、シート３３０は端部３３３、３３４を共に反射しない黒色領域で構成し、白色領域の幅Ｃと同一幅だけ隙間が空いた状態で貼付け固定している。幅Ｃ分だけ隙間が空いた箇所は、回転操作部材３１０の内側面が露呈状態となる。
【００３５】
回転操作部材３１０は、金属の酸化皮膜を生成する処理がされている。この例では、回転操作部材３１０は、アルミニウムを材料として形成されており、腐食防止や加飾目的により、アルマイト処理が行われる。このアルマイト処理を、レーザー光等で、一部剥がすことにより、アルミニウムの素地を露出することができる。アルミニウムの素地は、反射する白色領域３３０ａと同等の反射率を有している。本実施例では、図１２中の回転操作部材３１０の一部の内側面３１３に、アルミニウムの素地を露出させることで、反射する白色領域３３０ａと同等の反射する領域が構成される。つまり、露出した内側面３１３は、フォトリフレクタにより反射光が検知可能なレベルに光を反射するように表面処理されている。反射する白色領域３３０ａの幅Ａと幅Ｃ部は、同一幅で構成し、幅Ｃ部は、シート３３０の反射する白色領域３３０ａと同等の反射率を有しているので、回転操作部材３１０の回転検知に影響がない。白色領域３３０ａと露出した内側面３１３との反射率の差が、白色領域３３０ａと黒色領域３３０ｂとの反射率の差より小さければ、フォトリフレクタ３４１、３４２は、露出した内側面３１３を白色領域３３０ａと同じように検知することができる。
【００３６】
また、本実施例では、シート３３０を回転操作部材３１０に貼付固定した状態で、シート３３０の端部３３４と、回転操作部材３１０に形成された切欠き部３１５とが、略近傍になるように配置している。シート３３０は、貼付け初めは位置規制があり、高精度に位置が決まる。しかし、全周貼付けていくうちに貼付けの組立位置ずれが増えていき、最終固定箇所であるシート３３０の端部３３４では、多少位置がずれる可能性がある。したがって、回転操作部材３１０と環状板部材３２０とを位置規制する位置規制部を構成する切欠き部３１５と、端部３３４とを、略近傍に配置することで、環状板部材３２０の位置ずれがほぼない位置関係とする。これにより、環状板部材３２０と端部３３４の位置精度が向上する。
【００３７】
（実施例２）
次に、実施例２について説明する。実施例１と同一部材には、同一の符号を用い、重複する説明については省略する。
図１３は、実施例２における、回転操作部材の円周面へのシートの貼付固定を説明する図である。
【００３８】
シート３３０の回転軸方向の凸形状部３３１を含む端部３３５（第１の端部）は、反射する白色領域３３０ａで構成される。さらに、シート３３０の第２の端部３３６は、反射しない黒色領域３３０ｂで構成される。図１３に示すように、シート３３０の回転軸方向の凸形状部３３１を含む端部３３５を、シート３３０の端部３３６が幅Ｋ分だけ隙間を空けて、重ねて貼付け固定している。幅Ｋは、シート３３０における端部３３５とは異なる部分の白色領域３３０ａ（図１０）の幅Ａと同じ幅とすることで、回転検知において影響がないようにしている。すなわち、シート３３０が回転操作部材の内側面に固定された状態で、端部３３６は、端部３３５に幅Ａだけ白色領域が残るように端部３３５と重複して固定されている。
【００３９】
実施例２の構成によれば、アルマイト処理された回転操作部材３１０をレーザー光等で、一部アルマイト処理を剥して素地を露出させる必要がない。そして、アルマイト処理を剥す工程がなくなるので、回転操作部材３１０が安価で製作可能となる。
【００４０】
以上説明した実施例１、実施例２の構成によれば、回転操作時にクリック機構を有する回転操作部材ユニットにおいて、コストアップすることなく、回転操作部材ユニットの回転時のクリックと回転検知のタイミングが常に一定の関係とすることができる。
以上、本発明の好ましい実施例について説明したが、本発明はこれらの実施例に限定されず、その要旨の範囲内で種々の変形及び変更が可能である。
【符号の説明】
【００４１】
３１０  回転操作部材
３２０  環状板部材
【図１】
0006584252.tif 000002
【図２】
0006584252.tif 000003
【図３】
0006584252.tif 000004
【図４】
0006584252.tif 000005
【図５】
0006584252.tif 000006
【図６】
0006584252.tif 000007
【図７】
0006584252.tif 000008
【図８】
0006584252.tif 000009
【図９】
0006584252.tif 000010
【図１０】
0006584252.tif 000011
【図１１】
0006584252.tif 000012
【図１２】
0006584252.tif 000013
【図１３】
0006584252.tif 000014